(57)【要約】  【課題】本発明は、最初から、広告宣伝情報を印刷する広告用紙部と、郵便番号、宛先、宛名を記載する葉書部とが分けられており、この両部が折り畳まれた一枚の葉書が、特徴的なフック状の形態をなしていることから、ドアノブなどに引っ掛けることができ、吊り下げて使用するメッセージカード等のように使用することができ、また、広告用紙部と葉書部との重ね合わせ部分に隙間を設けてクーポン券などの広告媒体を封入したり、広告用紙部に孔を設けて葉書の窓として使用したり、封入した広告媒体を取りさせる取り出し口として使用することができる折り畳み葉書を提供することを課題とする。  【解決手段】本発明は、広告宣伝情報を表示する広告用紙部と郵便番号、宛先、宛名を記載する葉書部とが連続した状態で一枚の用紙に印刷されており、その境界線において折り畳まれることで一枚の葉書を構成することを特徴とする折り畳み葉書である。【選択図】  図３６
2013103491.tif 000002
【特許請求の範囲】
【請求項１】
広告宣伝情報を表示する広告用紙部と
郵便番号、宛先、宛名を記載する葉書部とが
それぞれ表裏に設けられている
ことを特徴とする葉書。
【請求項２】
広告宣伝情報を表示する広告用紙部と
郵便番号、宛先、宛名を記載する葉書部とが
連続した状態で一枚の用紙に印刷されており、
その境界線において折り畳まれることで一枚の葉書を構成する
ことを特徴とする折り畳み葉書。
【請求項３】
前記の葉書部が、
広告用紙部と同一の形状をなしており、
その境界線において折り畳まれることで一枚の葉書を構成する
ことを特徴とする請求項２に記載の折り畳み葉書。
【請求項４】
前記の広告用紙部または広告用紙部と葉書部の両方に、
一部を切り抜くことができる切り込み線が入っている
ことを特徴とする請求項１から請求項３のいずれか一項に記載の折り畳み葉書。
【請求項５】
前記の切り込み線は、
切り抜いたあとの形状が、フック状または円形状になるように設けられている
ことを特徴とする請求項１から請求項４のいずれか一項に記載の折り畳み葉書。
【請求項６】
前記の広告用紙部は、
折り畳まれたときに葉書部と重ね合わされる部分の中央に孔が形成されている
ことを特徴とする請求項２から請求項５のいずれか一項に記載の折り畳み葉書。
【請求項７】
前記の広告用紙部は、
折り畳まれたときに葉書部と重ね合わされた広告用紙部と葉書部との隙間に広告媒体が封入されている
ことを特徴とする請求項２から請求項６のいずれか一項に記載の折り畳み葉書。
【請求項８】
前記の孔は、
折り畳まれた内側から透明フィルムで塞がれている
ことを特徴とする請求項２から請求項７のいずれか一項に記載の折り畳み葉書。
【請求項９】
前記の広告用紙部または広告用紙部と葉書部の両方が、
フック状に形成されている
ことを特徴とする請求項１から請求項８のいずれか一項に記載の折り畳み葉書。
【請求項１０】
前記の広告用紙部は、
細長の長方形状で一対の短辺が円弧状に形成されている
ことを特徴とする請求項１から請求項９のいずれか一項に記載の折り畳み葉書。
【請求項１１】
細長の長方形状で一対の短辺が円弧状に形成されており、
一方の短辺側が、フック状または円形状に切り抜かれている
ことを特徴とするドアノブホルダー、メッセージカード、または写真入れ。
【請求項１２】
細長の長方形状で一対の短辺が円弧状に形成されており、
一方の短辺側に、フック状または円形状の切り取り線が設けられている
ことを特徴とするドアノブホルダー、メッセージカード、または写真入れ。
【請求項１３】
中央部分に孔が設けられている
ことを特徴とする請求項１１または請求項１２に記載のドアノブホルダー、メッセージカード、または写真入れ。
【請求項１４】
細長の長方形状で一対の短辺が円弧状に形成された２枚の用紙が重なり合うように折り畳まれている
ことを特徴とする請求項１１から請求項１３のいずれか一項に記載のドアノブホルダー、メッセージカード、または写真入れ。
【請求項１５】
中央部分に設けられた孔を通して写真やメッセージ用紙が見えるように、
写真やメッセージ用紙を挟み込むことができる隙間が、
重なり合う２枚の用紙の間が設けられている
ことを特徴とする請求項１１から請求項１４のいずれか一項に記載のドアノブホルダー、メッセージカード、または写真入れ。
【発明の詳細な説明】
【技術分野】
【０００１】
本発明は、広告媒体を封入したり、広告用印刷を施して、それ自体で広告物として使用できる折り畳み葉書に関する。
【背景技術】
【０００２】
従来から、商品や業務等を広告宣伝するための手段として、チラシ、カタログ、パンフレット、リーフレット等の広告用印刷物が用いられている。
そして、広告印刷物を消費者に送付する方法としては、ダイレクトメールが主流であり、広告用印刷物の機能用途を最大限発揮するような様々なダイレクトメールが考えられている。
【０００３】
例えば、下記特許文献１には、
両面に広告宣伝情報が印刷された所定大の用紙の幅方向に少なくとも１本の横折り線が設けられ、前記用紙の長さ方向に前記用紙の一端から次第に間隔が狭くなるように複数の縦折り線が設けられ、前記横折り線および前記縦折り線で区切られる区域の所定箇所に葉書として用いられるための宛て先欄と記入欄がミシン線により切り離し可能に印刷形成されている葉書付き広告用印刷物であって、前記横折り線の少なくとも１本の横折り線を所定方向に折り曲げたとき、前記宛て先欄の裏面と前記記入欄の裏面が糊付けされて前記葉書を形成し、前記横折り線に沿って所定方向にすべて折り曲げたとき、前記用紙の幅方向に重ね合わされて折り畳まれ、前記重ね合わされた前記用紙に現れる前記縦折り線に沿って所定方向に所定回数折り曲げたとき、上から下に行くに従って順次広くなるように折畳幅がずれて折り畳まれることを特徴とする葉書付き広告用印刷物
が開示されている。
【０００４】
これによれば、
両面に広告宣伝情報が印刷された所定大の用紙の幅方向に少なくとも１本の横折り線が設けられ、用紙の長さ方向に用紙の一端から次第に間隔が狭くなるように複数の縦折り線が設けられ、横折り線および縦折り線で区切られる区域の所定箇所に葉書として用いられるための宛て先欄と記入欄がミシン線により切り離し可能に印刷形成されている葉書付き広告用印刷物であって、区域の所定箇所に縦折り線に接するように所定幅の帯状の見出部を複数設けて広告宣伝情報の見出し文字を印刷し、横折り線の少なくとも１本の横折り線を所定方向に折り曲げたとき、宛て先欄の裏面と記入欄の裏面が糊付けされて葉書を形成し、横折り線に沿って所定方向にすべて折り曲げたとき、用紙の幅方向に重ね合わされて折り畳まれ、重ね合わされた用紙に現れる縦折り線に沿って所定方向に所定回数折り曲げたとき、上から下に行くに従って順次広くなるように折畳幅がずれて折り畳まれ、ずれが生じた折畳幅に帯状の見出部が現れるように折り畳まれるようにしたので、広告用印刷物を製造する際に、同時に葉書も製造することができるとともに、見出し効果をも兼ね備えることができる葉書付き広告用印刷物を提供することができる。
【先行技術文献】
【特許文献】
【０００５】
【特許文献１】特開２０００−１３５８８０号公報
【発明の概要】
【発明が解決しようとする課題】
【０００６】
しかし、上記発明に係る葉書付き広告用印刷物は、１枚の紙面を最大限活用して広告宣伝情報を印刷し、折り畳み後の状態を考慮して、宛て先欄の裏面と記入欄の裏面が糊付けされて葉書を形成するように前記広告宣伝情報が印刷されたものであるから、葉書と同じ形状の、特に外形に特徴があるものではない。
また、折り畳み後の状態を想定して、宛て先欄の裏面と記入欄の裏面を印刷する位置を決める必要があり、これによって、広告宣伝情報の位置も変わってくるほか、これらの位置によって折り畳み方法が異なり、何より印刷が煩雑である。
【０００７】
本発明は、上述の課題に鑑みてなされたものであり、
最初から、広告宣伝情報を印刷する広告用紙部と、郵便番号、宛先、宛名を記載する葉書部とが分けられており、
この両部が折り畳まれた一枚の葉書が、特徴的なフック状の形態をなしていることから、ドアノブなどに引っ掛けることができ、吊り下げて使用するドアノブホルダー、メッセージカード等のように使用することができ、また、広告用紙部と葉書部との重ね合わせ部分に隙間を設けてクーポン券などの広告媒体を封入したり、広告用紙部に孔を設けて葉書の窓として使用したり、封入した広告媒体を取りさせる取り出し口として使用することができる折り畳み葉書を提供することにある。
【課題を解決するための手段】
【０００８】
上記課題を解決するため、本発明においては、次の技術的手段を講じている。
【０００９】
本発明は、
広告宣伝情報を表示する広告用紙部と
郵便番号、宛先、宛名を記載する葉書部とが
それぞれ表裏に設けられている
ことを特徴とする葉書である。
【００１０】
一枚の葉書の表裏に、広告宣伝情報を表示する広告用紙部と、郵便番号、宛先、宛名を記載する葉書部とがそれぞれ設けられている。
メモを記してメッセージカード、写真を挟み込んで写真カードとして利用することもできる。
ドアノブに吊るしてドアノブホルダーとして利用することもでき、多用途に利用することができる。
【００１１】
本発明は、
広告宣伝情報を表示する広告用紙部と
郵便番号、宛先、宛名を記載する葉書部とが
連続した状態で一枚の用紙に印刷されており、
その境界線において折り畳まれることで一枚の葉書を構成する
ことを特徴とする折り畳み葉書である。
【００１２】
一枚の用紙に広告用紙部と葉書部とが連続した状態で印刷されており、広告用紙部と葉書部の境界線において折り畳むことで、一枚の葉書になる。
広告用紙部と葉書部とは、それぞれ左右どちらに印刷されていても良く、並び位置が特定されることはない。
広告用紙部と葉書部のそれぞれの横幅（境界線と垂直方向の長さ）は、異なっていても良いし、同じでも良い。
広告用紙部と葉書部の重なり合う部分は、重なり合う部分の全体を糊付け等で接着しても良いし、端辺のみが接着されていても良い。
例えば、、広告用紙部と葉書部のそれぞれの横幅が同じである場合、折り畳んだとき、横幅の端辺が揃うように重なるが、端辺のみを接着しても良いし、重なり合う全体を接着しても良い。
端辺のみを接着する場合、重なりを解いて広告用紙部と葉書部とを開くことができるようにし、重なり合う部分に、開いたときにしかけ絵本のように展開されるものが貼り付けられていても良いし、広告宣伝情報が印刷若しくは貼り付けられていても良い。
メモを記してメッセージカード、写真を挟み込んで写真カードとして利用することもできる。
ドアノブに吊るしてドアノブホルダーとして利用することもでき、多用途に利用することができる。
【００１３】
本発明は、
前記の葉書部が、
広告用紙部と同一の形状をなしており、
その境界線において折り畳まれることで一枚の葉書を構成する
ことを特徴とする請求項２に記載の折り畳み葉書である。
【００１４】
葉書部は、広告用紙部と同一の形状で、広告用紙部と連続した状態で一枚の用紙に印刷されている。
そのため、葉書部は、広告用紙部と左右対称になっており、その境界線において折り畳まれることで、全く同じ形状をした葉書部と広告用紙部とが重なり合い一枚の葉書になる。
広告用紙部と葉書部とは、それぞれ左右どちらに印刷されていても良く、並び位置が特定されることはない。
この葉書部（広告用紙部）の形状は、長方形でも円形でも良いし、細長の長方形状で一対の短辺が円弧状に形成されている形でも良い。
メモを記してメッセージカード、写真を挟み込んで写真カードとして利用することもできる。
ドアノブに吊るしてドアノブホルダーとして利用することもでき、多用途に利用することができる。
【００１５】
本発明は、
前記の広告用紙部または広告用紙部と葉書部の両方に、
一部を切り抜くことができる切り込み線が入っている
ことを特徴とする請求項１から請求項３のいずれか一項に記載の折り畳み葉書である。
【００１６】
広告用紙部と葉書部とが異なる形状である場合には広告用紙部のみに、広告用紙部と葉書部とが同一の形状である場合には広告用紙部と葉書部の両方に、一部を切り抜くことができる切り込み線が入っている。
紙部と葉書部とが同一の形状である場合は、広告用紙部と葉書部が重なり合ったときに切り込み線も重なるように切り込み線が入っている。
切り込み線は、一部を切り欠くような線でも良いし、一部を刳り貫いたような線でも良い。
切り込み線は、どの位置に設けられていても良く、任意の場所に設けることができる。
【００１７】
本発明は、
前記の切り込み線は、
切り抜いたあとの形状が、フック状または円形状になるように設けられている
ことを特徴とする請求項１から請求項４のいずれか一項に記載の折り畳み葉書である。
【００１８】
切り込み線が、一部を切り欠くようなフック状に設けられているか、一部を刳り貫いたような円形状になるように設けられている。
紙部と葉書部とが同一の形状である場合は、広告用紙部と葉書部が重なり合ったときに切り込み線も重なるように切り込み線が入っている。
切り込み線は、どの位置に設けられていても良く、任意の場所に設けることができる。
【００１９】
本発明は、
前記の広告用紙部は、
折り畳まれたときに葉書部と重ね合わされる部分の中央に孔が形成されている
ことを特徴とする請求項２から請求項５のいずれか一項に記載の折り畳み葉書である。
【００２０】
広告用紙部は、折り畳まれたときに葉書部と重ね合わされる部分の中央に孔が形成されており、孔を通じて葉書部の裏面に印刷されている種々の情報を観ることができたり、孔を葉書のデザインとして使用することができる。
孔の形状は、楕円形や長方形、星型、菱形など、いずれの形状でも良く、人間や動物、アニメのキャラクターを表すように形成されていても良い。
孔は、どの位置に設けられていても良く、任意の場所に設けることができる。
また、孔は、切り取り線によって切り取る方法で形成されるようにしても良い。
この場合、切り取った孔は、コースターに利用したり、広告媒体（クーポンなど）に利用できるようにしても良い。
【００２１】
本発明は、
前記の広告用紙部は、
折り畳まれたときに葉書部と重ね合わされた広告用紙部と葉書部との隙間に広告媒体が封入されている
ことを特徴とする請求項２から請求項６のいずれか一項に記載の折り畳み葉書である。
【００２２】
広告用紙部と葉書部とを折り畳むときに、重なり合う範囲の全てを接着させず、葉書部の端辺のみで接着させることで、広告用紙部と葉書部との間に隙間が生じる。
そこで、この隙間部分に広告媒体を封入できるようにしたものである。
広告媒体は、広告的な要素を含む媒体を意味し、必ずしも直接的に広告目的を果たすものに限られず、例えば、広告紙のような薄い紙媒体でも良いし、販売促進用の人形や試供品などが考えられ、封入する広告媒体は、隙間に入れることができるものであればいずれでも良い。
メモを封入してメッセージカードとして利用することもできるし、写真を挟み込んで写真カードとして利用することもできる。
ドアノブに吊るしてドアノブホルダーとして利用することもでき、多用途に利用することができる。
【００２３】
本発明は、
前記の孔は、
折り畳まれた内側から脱落防止フィルムで塞がれている
ことを特徴とする請求項２から請求項７のいずれか一項に記載の折り畳み葉書である。
【００２４】
孔を、折り畳まれた内側から、広告用紙部と葉書部との間に生じる隙間に封入された収容物が孔から出ないように、脱落防止フィルムで塞いだものである。
脱落防止フィルムは、例えば、透明フィルムなどを利用することができる。
文字が浮かびあがるような特殊フィルムで塞いでも良い。
孔は、広告の窓としての機能も果たすため、孔を通じて葉書部の裏面に印刷されている種々の情報を観ることができたり、孔を葉書のデザインとして使用することができる。
【００２５】
本発明は、
前記の広告用紙部または広告用紙部と葉書部の両方が、
フック状に形成されている
ことを特徴とする請求項１から請求項８のいずれか一項に記載の折り畳み葉書である。
【００２６】
葉書を、ドアノブ、ハンガー掛けなど、いろいろなところに掛けて吊るしておけるように、広告用紙部または広告用紙部と葉書部の両方をフック状に形成したものである。
フックは、どの位置に設けられていても良く、任意の場所に設けることができ、フック形状の開口部分がどの方向に向くように形成されていても良い。
単に情報の伝達という目的だけでなく、インテリアやグッズとしての機能も果たす多用途に使用できる葉書である。
また、ドアノブに吊るしてドアノブホルダーとして利用することもできるし、メモを記してメッセージカード、写真を挟み込んで写真カードとしても利用することもできる。
【００２７】
本発明は、
前記の広告用紙部は、
細長の長方形状で一対の短辺が円弧状に形成されている
ことを特徴とする請求項１から請求項９のいずれか一項に記載の折り畳み葉書である。
【００２８】
細長の長方形状で一対の短辺が円弧状に形成された葉書である。
あらかじめ一対の短辺が円弧状に形成されていることで、そのうちの一方に、一部を切り抜くような切り込み線が設けられていれば、その一部を切り抜くことでフック状になる。
【００２９】
本発明は、
細長の長方形状で一対の短辺が円弧状に形成されており、
一方の短辺側が、フック状または円形状に切り抜かれている
ことを特徴とするドアノブホルダー、メッセージカード、または写真入れである。
【００３０】
細長の長方形状で一対の短辺が円弧状に形成され、一方の短辺側が、フック状または円形状に切り抜かれている。
ドアノブに掛けてドアノブホルダーとして使用したり、ドアノブ等に引っ掛けてメッセージカードとして使用したり、または写真入れとして使用することができる。
【００３１】
本発明は、
細長の長方形状で一対の短辺が円弧状に形成されており、
一方の短辺側に、フック状または円形状の切り取り線が設けられている
ことを特徴とするドアノブホルダー、メッセージカード、または写真入れである。
【００３２】
初めからフック状または円形状に切り抜かれているのではなく、切り取り線が設けられている。
切り取り線は、どの位置に設けられていても良く、任意の場所に設けることができる。
【００３３】
本発明は、
中央部分に孔が設けられている
ことを特徴とする請求項１１または請求項１２に記載のドアノブホルダー、メッセージカード、または写真入れである。
【００３４】
中央に孔が形成されている。
孔の形状は、楕円形や長方形、星型、菱形など、いずれの形状でも良く、人間や動物、アニメのキャラクターを表すように形成されていても良い。
孔は、どの位置に設けられていても良く、任意の場所に設けることができる。
孔の中に、広告媒体、メモ、写真など、種々のものを封入することもできる。
また、孔は、切り取り線によって切り取る方法で形成されるようにしても良い。
この場合、切り取った孔は、コースターに利用したり、広告媒体（クーポンなど）に利用できるようにしても良い。
【００３５】
本発明は、
細長の長方形状で一対の短辺が円弧状に形成された２枚の用紙が重なり合うように折り畳まれている
ことを特徴とする請求項１１から請求項１３のいずれか一項に記載のドアノブホルダー、メッセージカード、または写真入れである。
【００３６】
２枚の用紙が重なり合う部分は、重なり合う部分の全体を糊付け等で接着しても良いし、端辺のみが接着されていても良い。
例えば、折り畳まれた２枚の用紙の横幅が同じである場合、折り畳んだとき、横幅の端辺が揃うように重なるが、端辺のみを接着しても良いし、重なり合う全体を接着しても良い。
端辺のみを接着する場合、重なりを解いて２枚の用紙を開くことができるようにし、重なり合う部分に、開いたときにしかけ絵本のように展開されるものが貼り付けられていても良いし、広告媒体、メモ、写真が挟み込まれていても良い。
メモを記してメッセージカード、写真を挟み込んで写真カードとして利用することもできる。
ドアノブに吊るしてドアノブホルダーとして利用することもでき、多用途に利用することができる。
【００３７】
本発明は、
中央部分に設けられた孔を通して写真やメッセージ用紙が見えるように、
重なり合う２枚の用紙の間に、写真やメッセージ用紙を挟み込むことができる隙間が設けられている
ことを特徴とする請求項１１から請求項１４のいずれか一項に記載のドアノブホルダー、メッセージカード、または写真入れである。
【００３８】
広告媒体、メモ、写真が挟み込まれ、中央部分の孔から確認することができる。
メモを記してメッセージカード、写真を挟み込んで写真カードとして利用することもできる。
ドアノブに吊るしてドアノブホルダーとして利用することもでき、多用途に利用することができる。
【発明の効果】
【００３９】
本発明では以下のような効果がある。
【００４０】
１）広告用紙部と葉書部とを折り畳んで一枚の葉書が構成されていることで印刷効率が高まり、また、折り畳んだときに生じる隙間に種々の広告媒体を封入することができる。
【００４１】
２）広告用紙部に設けた孔が広告の窓としての機能も果たすため、孔を通じて葉書部の裏面に印刷されている種々の情報を観ることができたり、孔を葉書のデザインとして使用することができる。
【００４２】
３）単に情報の伝達という目的だけでなく、インテリアやグッズとしての機能を果たす葉書である。
【００４３】
４）フック状の形態をなしていることから、ドアノブなどに引っ掛けることができ、吊り下げて使用するドアノブホルダーのように使用することができる。
【００４４】
５）葉書としてではなく、メッセージカード、写真カードとしても利用できる。
【図面の簡単な説明】
【００４５】
【図１】一枚で構成される葉書の正面図である。
【図２】図１の切り取り線が丸型の葉書の正面図である。
【図３】図１の切り取り線が上方開口型の葉書の正面図である。
【図４】図１の葉書の背面図である。
【図５】図２の葉書の背面図である。
【図６】図３の葉書の背面図である。
【図７】図１の葉書の右側面図である。
【図８】図１の葉書の左側面図である。
【図９】図１の切り取り線に沿って切り抜き部分を切り抜いた状態の葉書の正面図である。
【図１０】図９の切り取り線が丸型の葉書の正面図である。
【図１１】図９の切り取り線が上方開口型の葉書の正面図である。
【図１２】図１０の葉書の中央縦断面図である。
【図１３】図１１の葉書の中央縦断面図である。
【図１４】折り畳み葉書の正面図である。
【図１５】図１４の切り取り線が丸型の葉書の正面図である。
【図１６】図１４の切り取り線が上方開口型の葉書の正面図である
【図１７】図１４の葉書の背面図である。
【図１８】図１５の葉書の背面図である。
【図１９】図１６の葉書の背面図である。
【図２０】図１４の葉書の右側面図である。
【図２１】図１４の葉書の左側面図である。
【図２２】図１４の葉書の平面図である。
【図２３】図１４の葉書の上方斜視図である。
【図２４】図１４の切り取り線に沿って切り抜き部分を切り抜いた状態の葉書の正面図である。
【図２５】図２４の切り取り線が丸型の葉書の正面図である。
【図２６】図２４の切り取り線が上方開口型の葉書の正面図である。
【図２７】図２４の葉書の背面図である。
【図２８】図２５の葉書の背面図である。
【図２９】図２６の葉書の背面図である。
【図３０】図２６の葉書の右側面図である。
【図３１】図２４の葉書の左側面図である。
【図３２】図２６の葉書の平面図である。
【図３３】図２４の葉書の正面図中央縦断面図である。
【図３４】図２５の葉書の正面図中央縦断面図である。
【図３５】図２６の葉書の正面図中央縦断面図である。
【図３６】図１４の折り畳み葉書を展開した状態の正面図である。
【図３７】図３６の葉書の背面図である。
【図３８】図３６の葉書の右側面図である。
【図３９】図３６の葉書の左側面図である。
【図４０】図３６の葉書の平面図である。
【図４１】図３６の葉書の上方斜視図である。
【図４２】図４１の切り取り線に沿って切り抜き部分を切り抜いた状態の葉書の上方斜視図である。
【図４３】葉書部と広告用紙部とが同一形状である葉書の折り畳んだ状態を表した正面図である。
【図４４】図４３の切り取り線が丸型の葉書の正面図である。
【図４５】図４３の切り取り線が上方開口型の葉書の正面図である。
【図４６】図４３の葉書の背面図である。
【図４７】図４４の葉書の背面図である。
【図４８】図４５の葉書の背面図である。
【図４９】図４６の葉書に孔を設けた状態を表した図である。
【図５０】図４７の葉書に孔を設けた状態を表した図である。
【図５１】図４８の葉書に孔を設けた状態を表した図である。
【図５２】図４３の葉書の右側面図である。
【図５３】図４３の葉書の左側面図である。
【図５４】図４３の葉書の平面図である。
【図５５】図４３の葉書の上方斜視図である。
【図５６】図４３の切り取り線に沿って切り抜き部分を切り抜いた状態の葉書の正面図である。
【図５７】図４４の切り取り線が丸型の葉書の正面図である。
【図５８】図４５の切り取り線が上方開口型の葉書の正面図である。
【図５９】図４３の葉書を展開した状態を表した正面図である。
【図６０】図５９の葉書の背面図である。
【図６１】図５９の葉書の右側面図である。
【図６２】図５９の葉書の左側面図である。
【図６３】図５９の葉書の平面図である。
【図６４】図５９の葉書の上方斜視図である。
【図６５】ドアノブホルダー、メッセージカード、または写真入れを表した正面図である。
【図６６】図６５の切り取り線が丸型のドアノブホルダー、メッセージカード、または写真入れの正面図である。
【図６７】図６５の切り取り線が上方開口型のドアノブホルダー、メッセージカード、または写真入れの正面図である。
【図６８】図６５の孔の変形例を表した図である。
【図６９】図６５の孔の変形例を表した図である。
【図７０】図６５の孔の変形例を表した図である。
【図７１】図６５の孔が透明であることを表した図である。
【図７２】図６５のドアノブホルダー、メッセージカード、または写真入れの背面図である。
【図７３】図６６のドアノブホルダー、メッセージカード、または写真入れの背面図である。
【図７４】図６７のドアノブホルダー、メッセージカード、または写真入れの背面図である。
【図７５】図６５の切り取り線に沿って切り抜き部分を切り抜いた状態のドアノブホルダー、メッセージカード、または写真入れの正面図である。
【図７６】図６５のドアノブホルダー、メッセージカード、または写真入れを展開した状態を表した正面図である。
【図７７】図７６のドアノブホルダー、メッセージカード、または写真入れの背面図である。
【図７８】図７６のドアノブホルダー、メッセージカード、または写真入れの右側面図である。
【図７９】図７６のドアノブホルダー、メッセージカード、または写真入れの左側面図である。
【図８０】図７６のドアノブホルダー、メッセージカード、または写真入れの平面図である。
【図８１】図７６のドアノブホルダー、メッセージカード、または写真入れの底面図である。
【発明を実施するための最良の形態】
【００４６】
以下、本発明の実施形態について図面を用いて説明する。
【００４７】
図１〜１３は、一枚の葉書の表裏に、広告宣伝情報を表示する広告用紙部と、郵便番号、宛先、宛名を記載する葉書部とが、それぞれ設けられている葉書を表した図である。
図１は、葉書の正面側を表した正面図であり、葉書部として、郵便番号、宛先、宛名を記載することができる。
図４は、葉書の背面側を表した背面図であり、広告用紙部として、広告宣伝情報を表示することができる。
なお、葉書部と広告用紙部とは、どちらを正面側に表しても良く、葉書部に広告宣伝情報を表示することもできる。
切り取り線は表裏に設けられており、図２のように、一部を刳り貫いたような円形状でも良いし、図３のように、上方の一部が開口した形状でも良い。
なお、図５は、図２の葉書の背面図であり、図６は、図３の葉書の背面図である。
図７は、図１の葉書の右側面図であり、左側面図は、図７と同一に表れる。
図８は、図１の葉書の平面図であり、底面図は、図８と同一に表れる。
図２の葉書の右側面図、左側面図は、いずれも図７と同一に表れる。
また、図２の葉書の平面図、底面図は、いずれも図８と同一に表れる。
図３の葉書の右側面図、左側面図は、いずれも図７と同一に表れる。
また、図３の葉書の平面図、底面図は、いずれも図８と同一に表れる。
【００４８】
図９〜１１は、それぞれ図１〜３の葉書を、切り取り線に沿って切り抜き部分を切り抜いた状態を示す図である。
図９〜１１の葉書の背面図は、図４〜６の葉書の切り取り線を実線で表したのと同じである。
図９〜１１の葉書の右側面図、左側面図は、いずれも図７と同一に表れる。
図９〜１１の葉書の平面図、底面図は、いずれも図８と同一に表れる。
図１２、１３は、それぞれ図１０、１１の葉書の中央縦断面図である。
【００４９】
図１４〜３５は、広告用紙部と葉書部とが折り畳まれている葉書を表した図である。
一枚の用紙に連続した状態で印刷された広告用紙部と葉書部とが、広告用紙部と葉書部の境界線において折り畳まれて、一枚の葉書を構成している。
広告用紙部には、図１４のように、一部を切り抜くことができる切り取り線が設けられている。
切り取り線は、図１５のように、一部を刳り貫いたような円形状でも良いし、図１６のように、上方の一部が開口した形状でも良い。
図１７〜１９は、それぞれ図１４〜１６の葉書の背面図である。
図２０は、図１４の葉書の右側面図であり、図２１は、図１４の葉書の左側面図である。
図２２は、図１４の葉書の平面図であり、図１４の葉書の底面図は、図２２と同一に表れる。
図１５の葉書の右側面図、左側面図、平面図は、それぞれ図２０、２１、２２と同一に表れる。
また、図１５の葉書の底面図は、図２２と同一に表れる。
図１６の葉書の右側面図、左側面図、平面図は、それぞれ図２０、２１、２２と同一に表れる。
また、図１６の葉書の底面図は、図２２と同一に表れる。
図２３は、図１４の葉書の上方斜視図である。
広告用紙部と葉書部のそれぞれの横幅（境界線と垂直方向の長さ）は、同じで、重ね合わせたとき、端辺が揃うようになっている。
折り畳まれて広告用紙部の裏面に重ねられている葉書部には、図１７のように、切り欠き部が設けられていて、めくりやすくなっている。
葉書部は、広告用紙部と重なり合う全ての範囲で接着しても良いし、端辺、下辺、上辺のみ接着しても良い。
全範囲を接着しない場合は、広告用紙部と葉書部との間には隙間が生じている。
隙間部分を生じさせた場合、当該隙間部分に広告媒体を封入できる。
例えば、広告紙のような薄い紙媒体、販売促進用の人形や試供品などを封入できる。
【００５０】
図２４〜３５は、切り取り線に沿って切り抜き部分を切り抜いた状態を示す図である。
図２４〜２６は、それぞれ図１４〜１６の葉書を、切り取り線に沿って切り抜き部分を切り抜いた状態を示す図である。
図２７〜２９は、それぞれ図２４〜２６の葉書の背面図である。
図２４、２５の葉書の右側面図は、図２０と同一に表れる。
図３０は、図２６の葉書の右側面図である。
図３１は、図２４の葉書の左側面図である。
図２５、２６の葉書の左側面図は、それぞれ図２１、３０と同一に表れる。
図２４、２５の葉書の平面図は、図２２と同一に表れる。
図３２は、図２６の葉書の平面図である。
図２４〜２６の葉書の底面図は、図２２と同一に表れる。
図３３〜３５は、それぞれ図２４〜２６の葉書の中央縦断面図である。
葉書の切り抜かれた部分を、ドアノブ、ハンガー掛けなど、いろいろなところに掛けることで、葉書を吊るしておくことができる。
単に情報の伝達という目的だけでなく、インテリアやグッズとしての機能を果たす。
また、ドアノブに吊るしてドアノブホルダーとして利用することもできるし、メッセージカード、写真を挟み込んで写真カードとしても利用することもできる。
【００５１】
図３６〜４２は、図１４の葉書を展開した状態を表したものである。
図３６の葉書の底面図は、図４０と同一に表れる。
図４１は、図３６の葉書の上方斜視図であり、図４２は、図４１の切り取り線に沿って切り抜き部分を切り抜いた状態を表した上方斜視図である。
広告用紙部と葉書部は、一枚の用紙に連続した状態で印刷されており、広告用紙部は、背面側にも切り込み線が設けられている。
切り込み線は、前記したとおり、種々の形状に設けることができる。
【００５２】
図４３〜６４は、広告用紙部と葉書部とが同一形状をなし、折り畳まれて一枚の葉書を構成している状態を表した図である。
図５９〜６４は、図４３の葉書を展開した状態を表した図であり、これに表したとおり、葉書部は、広告用紙部と左右対称の形状で、葉書部と広告用紙部とが連続した状態で一枚の用紙に印刷されており、その境界線において折り畳まれることで、一枚の葉書を構成する。
図４３は、折り畳まれた状態の葉書の葉書部側を表した正面図であり、切り取り線と、めくりやすくするための切り欠き部が設けられている。
図４６は、折り畳まれた状態の葉書の広告用紙部側を表した背面図であり、表側と同様に切り取り線が設けられている。
なお、葉書部と広告用紙部とは、どちらを正面側に表しても良く、葉書部に広告宣伝情報を表示することもできる。
切り取り線は、図４４のように、一部を刳り貫いたような円形状でも良いし、図４５のように、上方の一部が開口した形状でも良い。
図４６〜４８は、それぞれ図４３〜４５の葉書の背面図である。
なお、広告用紙部側の中央部分には孔を設けることもでき、図４９〜５１は、図４６〜４８の葉書の広告用紙部側に孔を設けた状態を示した図である。
孔の形状は、図６５の変形例として、図６８〜７０に表れているような長方形、ハート型、長辺が内側に窪んだ略長方形など、種々の形状を取り得る。
この他、楕円形や星型、菱形など、いずれの形状でも良く、人間や動物、アニメのキャラクターを表すように形成されていても良い。
孔は、広告の窓としての機能も果たすことができ、葉書部の裏面に印刷されている種々の情報を観ることができるほか、孔を葉書のデザインとして使用することもできる。
また、孔は、切り取り線によって切り取る方法で形成されるようにすることもできる。
この場合、図中の孔を示す実線部分が切り取り線として表示される。
この場合、切り取った孔は、コースターに利用したり、広告媒体（クーポンなど）に利用できるようにすることもできる。
孔は、図７１の薄く塗り潰されている部分のように、折り畳まれた葉書の内側から透明フィルムで塞ぐこともできる。
図５２は、図４３の葉書の右側面図であり、図５３は、図４３の葉書の左側面図である。
図５４は、図４３の葉書の平面図であり、底面図は、図５４と同一に表れる。
図５５は、図４３の葉書の上方斜視図である。
なお、図４４の葉書の右側面図、左側面図は、図４３の葉書の右側面図（図５２）、左側面図（図５３）と同一に表れる。
また、図４５の葉書の右側面図、左側面図も、図４３の葉書の右側面図（図５２）、左側面図（図５３）と同一に表れる。
さらに、図４４の葉書の平面図と底面図は、図４３の葉書の平面図（図５４）と同一に表れる。
同様に、図４５の葉書の平面図と底面図も、図４３の葉書の平面図（図５４）と同一に表れる。
図５６〜５８は、それぞれ図４３〜４５の葉書を、切り取り線に沿って切り抜き部分を切り抜いた状態を示す図である。
葉書の切り抜かれた部分を、ドアノブ、ハンガー掛けなど、いろいろなところに掛けることで、葉書を吊るしておくことができる。
単に情報の伝達という目的だけでなく、インテリアやグッズとしての機能を果たす。
また、ドアノブに吊るしてドアノブホルダーとして利用することもできるし、メッセージカード、写真を挟み込んで写真カードとしても利用することもできる。
【００５３】
図５９〜６４は、図４３の葉書を展開した状態を表した図である。
図５９の葉書の底面図は、図６３と同一に表れる。
図６４は、図５９の葉書の上方斜視図である。
広告用紙部と葉書部は、一枚の用紙に連続した状態で印刷されており、広告用紙部は、背面側にも切り込み線が設けられている。
切り込み線は、前記したとおり、種々の形状に設けることができる。
【００５４】
図６５〜８１は、細長の長方形状で一対の短辺が円弧状に形成されたドアノブホルダー、メッセージカード、または写真入れである。
図６５は、ドアノブホルダー、メッセージカード、または写真入れの正面側を表した正面図である。
図７２は、ドアノブホルダー、メッセージカード、または写真入れの背面側を表した背面図である。
背面側は、孔を通じて見ることができる写真やメッセージ用紙を押さえるための台紙が貼り付けられている。
台紙と、正面側の本体とは、別体になっていて、台紙の上方側を除いて端辺を接着して貼り付けられる。
切り取り線は表裏に設けられており、図１５のように、一部を刳り貫いたような円形状でも良いし、図１６のように、上方の一部が開口した形状でも良い。
図７５は、図６５のドアノブホルダー、メッセージカード、または写真入れを、切り取り線に沿って切り抜き部分を切り抜いた状態を示す図である。
なお、図７３は、図６６のドアノブホルダー、メッセージカード、または写真入れの背面図であり、図７４は、図６７のドアノブホルダー、メッセージカード、または写真入れの背面図である。
正面側の中央部分には孔が設けられており、図６５の孔の変形例として、例えば、図６８〜７０のように、種々の形状を取り得る。
楕円形や星型、菱形など、いずれの形状でも良く、人間や動物、アニメのキャラクターを表すように形成されていても良い。
孔は、広告の窓としての機能も果たすことができ、葉書部の裏面に印刷されている種々の情報を観ることができるほか、孔を葉書のデザインとして使用することもできる。
また、孔は、切り取り線によって切り取る方法で形成されるようにすることもできる。
この場合、図中の孔を示す実線部分が切り取り線として表示される。
この場合、切り取った孔は、コースターに利用したり、広告媒体（クーポンなど）に利用できるようにすることもできる。
孔は、図７１に表した薄く塗り潰されている部分のように、折り畳まれた内側から透明フィルムで塞ぐこともできる。
【００５５】
図７６〜８１は、図７２の台紙が、図６５の正面側の本体と、一枚の用紙に連続した状態で印刷されたドアノブホルダー、メッセージカード、または写真入れを、展開した状態で表した図である。
図６５のドアノブホルダー、メッセージカード、または写真入れの正面側の本体と、裏面側の台紙とが、一枚の用紙に連続した状態で印刷されており、台紙が折り畳まれて一枚のドアノブホルダー、メッセージカード、または写真入れを構成する。
台紙が本体と折り畳まれることで、本体と台紙と間に隙間が生じ、当該隙間部分に、メッセージカード、写真を挟み込むことができる。
そこで、台紙には、挟み込んだものを取りやすくするための孔を設けている。
この孔から、挟み込まれたメッセージカードや写真を押さえることができ、押さえたままメッセージカード、写真を上方に移動させることで、台紙からメッセージカード、写真を容易に取ることができる。
ドアノブホルダー、メッセージカード、または写真入れの本体側には、切り込み線が設けられている。
切り込み線は、楕円形や星型、菱形など、いずれの形状でも良く、人間や動物、アニメのキャラクターを表すように形成されていても良い。
【図１】
2013103491.tif 000003
【図２】
2013103491.tif 000004
【図３】
2013103491.tif 000005
【図４】
2013103491.tif 000006
【図５】
2013103491.tif 000007
【図６】
2013103491.tif 000008
【図７】
2013103491.tif 000009
【図８】
2013103491.tif 000010
【図９】
2013103491.tif 000011
【図１０】
2013103491.tif 000012
【図１１】
2013103491.tif 000013
【図１２】
2013103491.tif 000014
【図１３】
2013103491.tif 000015
【図１４】
2013103491.tif 000016
【図１５】
2013103491.tif 000017
【図１６】
2013103491.tif 000018
【図１７】
2013103491.tif 000019
【図１８】
2013103491.tif 000020
【図１９】
2013103491.tif 000021
【図２０】
2013103491.tif 000022
【図２１】
2013103491.tif 000023
【図２２】
2013103491.tif 000024
【図２３】
2013103491.tif 000025
【図２４】
2013103491.tif 000026
【図２５】
2013103491.tif 000027
【図２６】
2013103491.tif 000028
【図２７】
2013103491.tif 000029
【図２８】
2013103491.tif 000030
【図２９】
2013103491.tif 000031
【図３０】
2013103491.tif 000032
【図３１】
2013103491.tif 000033
【図３２】
2013103491.tif 000034
【図３３】
2013103491.tif 000035
【図３４】
2013103491.tif 000036
【図３５】
2013103491.tif 000037
【図３６】
2013103491.tif 000038
【図３７】
2013103491.tif 000039
【図３８】
2013103491.tif 000040
【図３９】
2013103491.tif 000041
【図４０】
2013103491.tif 000042
【図４１】
2013103491.tif 000043
【図４２】
2013103491.tif 000044
【図４３】
2013103491.tif 000045
【図４４】
2013103491.tif 000046
【図４５】
2013103491.tif 000047
【図４６】
2013103491.tif 000048
【図４７】
2013103491.tif 000049
【図４８】
2013103491.tif 000050
【図４９】
2013103491.tif 000051
【図５０】
2013103491.tif 000052
【図５１】
2013103491.tif 000053
【図５２】
2013103491.tif 000054
【図５３】
2013103491.tif 000055
【図５４】
2013103491.tif 000056
【図５５】
2013103491.tif 000057
【図５６】
2013103491.tif 000058
【図５７】
2013103491.tif 000059
【図５８】
2013103491.tif 000060
【図５９】
2013103491.tif 000061
【図６０】
2013103491.tif 000062
【図６１】
2013103491.tif 000063
【図６２】
2013103491.tif 000064
【図６３】
2013103491.tif 000065
【図６４】
2013103491.tif 000066
【図６５】
2013103491.tif 000067
【図６６】
2013103491.tif 000068
【図６７】
2013103491.tif 000069
【図６８】
2013103491.tif 000070
【図６９】
2013103491.tif 000071
【図７０】
2013103491.tif 000072
【図７１】
2013103491.tif 000073
【図７２】
2013103491.tif 000074
【図７３】
2013103491.tif 000075
【図７４】
2013103491.tif 000076
【図７５】
2013103491.tif 000077
【図７６】
2013103491.tif 000078
【図７７】
2013103491.tif 000079
【図７８】
2013103491.tif 000080
【図７９】
2013103491.tif 000081
【図８０】
2013103491.tif 000082
【図８１】
2013103491.tif 000083